(57)【特許請求の範囲】
【請求項１】
脚矯正器具（１０）を矯正器具利用者（１）の胴体（２）に取り付けるための取り付け装置（１１）及び少なくとも１つの関節装置（２０）を有し、前記矯正器具利用者（１）の肢体（３）に固着可能な第一矯正器具部分（３０）が前記少なくとも１つの関節装置（２０）によって前記取り付け装置（１１）に対して回転可能に配置され、前記少なくとも１つの関節装置（２０）が少なくとも３つの関節（２１、２２、２３）を備え、前記関節が夫々少なくとも１つの回転軸（２４、２５、２８）を有し、前記回転軸が一つの共通点（１００）で交差する脚矯正器具（１０）であって、前記回転軸（２４、２５、２８）のうち少なくとも二つが相互に非直交に方向付けされており、駆動される回転軸（２５）はトルクを他の回転軸（２４、２８）に印加しないことを特徴とする、脚矯正器具（１０）。
【請求項２】
前記少なくとも１つの関節装置（２０）に、少なくとも１つの駆動部又は力貯蔵部を属させることを特徴とする、請求項１に記載の脚矯正器具。
【請求項３】
前記少なくとも１つの関節装置（２０）において少なくとも１つの関節（２２）の回転軸（２５）の自由度が他の関節（２１、２３）の回転軸（２４、２８）の自由度に影響を及ぼさないことを特徴とする、請求項１又は２に記載の脚矯正器具。
【請求項４】
前記回転軸（２４、２５、２８）が前記矯正器具利用者（１）の腰関節の回転中心で交差することを特徴とする、請求項１〜３のいずれか一項に記載の脚矯正器具。
【請求項５】
脚矯正器具（１０）を取り付けるための取り付け装置（１１）が骨盤、腹部、又はウェストに構成され、かつ前記第一矯正器具部分（３０）が太もも装具として構成されることを特徴とする、請求項１〜４のいずれか一項に記載の脚矯正器具。
【請求項６】
前記第一矯正器具部分（３０）が相互に関節で接続する複数の区域（３１、３２、３３）を有することを特徴とする、請求項１〜５のいずれか一項に記載の脚矯正器具。
【請求項７】
前記第一矯正器具部分（３０）に少なくとも１つの更なる矯正器具部分（４０、５０）を関節で取り付けることを特徴とする、請求項１〜６のいずれか一項に記載の脚矯正器具。
【請求項８】
前記少なくとも１つの更なる矯正器具部分（４０、５０）が前記肢体（３）に取り付け可能に構成されることを特徴とする、請求項７に記載の脚矯正器具。
【請求項９】
前記少なくとも１つの更なる矯正器具部分（４０、５０）の間の関節（３４、４５）における回転軸（３６、４７）が、脚矯正器具（１０）を取り付けている状態で肢体（３）の関節軸（６、７）と整列することを特徴とする、請求項７又は８に記載の脚矯正器具。
【請求項１０】
前記関節装置（２０）における関節（２１、２２、２３）の回転軸（２４、２５、２８）が夫々正確に一つの自由度を有することを特徴とする、請求項１〜９のいずれか一項に記載の脚矯正器具。
【請求項１１】
前記関節（２１、２２、２３、３６、４５）の回転範囲が調整可能であることを特徴とする、請求項１〜１０のいずれか一項に記載の脚矯正器具。
【請求項１２】
前記回転軸（２５）が腰の伸展屈折を可能にし、前記関節装置（２０）に前記回転軸（２５）の周りで有効な駆動部を属させることを特徴とする、請求項１〜１１のいずれか一項に記載の脚矯正器具。
【請求項１３】
複数の駆動されない回転軸（２４、２８）の周囲トルクが駆動される回転軸（２５）に影響を及ぼさないことを特徴とする、請求項１〜１２のいずれか一項に記載の脚矯正器具。
【請求項１４】
矯正器具（１０）を矯正器具利用者（１）の胴体（２）に取り付けるための取り付け装置（１１）及び少なくとも１つの関節装置（２０）を有し、前記矯正器具利用者（１）の肢体（３）に固着可能な第一矯正器具部分（３０）が関節装置（２０）によって前記取り付け装置（１１）に対して回転可能に配置され、前記少なくとも１つの関節装置（２０）は少なくとも３つの関節（２１、２２、２３）を備え、当該関節は夫々１つの回転軸（２４、２５、２８）を有し、当該回転軸は一つの共通点（１００）で交差する矯正器具（１０）であって、前記回転軸（２４、２５、２８）のうち少なくとも二つが相互に非直交に方向付けされており、駆動される回転軸（２５）はトルクを他の回転軸（２４、２８）に印加せず、前記関節装置（２０）において少なくとも１つの関節（２２）の回転軸（２５）の自由度が他の関節（２１、２３）の回転軸（２４、２８）の自由度に影響を及ぼさないことを特徴とする矯正器具（１０）。
【請求項１５】
前記回転軸（２４、２５、２８）が共通点（１００）で交差し、交差点（１００）で少なくとも三つの独立自由度を形成することを特徴とする、請求項１４に記載の矯正器具。
【請求項１６】
前記回転軸（２４、２５、２８）が前記矯正器具利用者（１）の天然関節の回転中心で交差することを特徴とする、請求項１４又は１５に記載の矯正器具。
【請求項１７】
前記関節装置（２０）に少なくとも１つの駆動部又は力貯蔵部を属させることを特徴とする、請求項１４〜１６のいずれか一項に記載の矯正器具。
【請求項１８】
前記第一矯正器具部分（３０）が相互に関節で接続する複数の区域（３１、３２、３３）を有することを特徴とする、請求項１４〜１７のいずれか一項に記載の矯正器具。
【請求項１９】
前記第一矯正器具部分（３０）に少なくとも１つの更なる矯正器具部分（４０、５０）を関節で取り付けることを特徴とする、請求項１４〜１８のいずれか一項に記載の矯正器具。
【請求項２０】
前記少なくとも１つの更なる矯正器具部分（４０、５０）が前記肢体（３）に取り付け可能に構成されることを特徴とする、請求項１９に記載の矯正器具。
【請求項２１】
他の矯正器具部分（４０、５０）の間の関節（３４、４５）における回転軸（３６、４７）が、矯正器具（１０）を取り付けている状態で前記肢体（３）の関節軸（６、７）と整列することを特徴とする、請求項１９又は２０に記載の矯正器具。
【請求項２２】
前記関節装置（２０）における前記関節（２１、２２、２３）の前記回転軸（２４、２５、２８）が夫々一つの自由度を有することを特徴とする、請求項１４〜２１のいずれか一項に記載の矯正器具。
【請求項２３】
前記関節（２１、２２、２３、３６、４５）の回転範囲が調整可能であることを特徴とする請求項１４〜２２のいずれか一項に記載の矯正器具。
【請求項２４】
駆動されない回転軸（２４、２８）の周囲トルクが駆動される回転軸（２５）に影響を及ぼさないことを特徴とする請求項１４〜２３のいずれか一項に記載の矯正器具。
【発明の詳細な説明】
【技術分野】
【０００１】
本願発明は、矯正器具又は脚矯正器具を矯正器具利用者の胴体に取り付けるための取り付け装置及び少なくとも１つの関節装置を有する脚矯正器具並びに矯正器具に関するものであって、矯正器具利用者の所定の肢体に固着可能な第一矯正器具部分が関節装置によって取り付け装置に対して回転可能に配置されている。矯正器具は特に脚矯正器具又は肩矯正器具に形成され、更生の措置の際に外骨格として用いられる。
【背景技術】
【０００２】
脳卒中又は神経疾患や神経傷害後、体の動きの制限、特に歩行能力の制限を抑えるように早期のリハビリ治療を受けることが有利である。トレーニング強度とリハビリ治療結果の間には正の相関関係がある。したがって、できるだけ早期に集中更生の措置を取るのが有利である。しかし、現在のところ、そういったことに対応する熟練した人材が必要である。（補助的にトレッドミルで行い得る）手動歩行療法はセラピストが必要であり、限られた量の時間の間でのみ可能である一方、他方ではそれゆえの短期の治療単位に繋がる。
【０００３】
Hocoma社のLocomat（登録商標）やフラウンホーファー生産システム・建設技術協会（Fraunhofer-Institut fur Produktionsanlagen und Konstruktionstechnik）のロボット支援歩行シミュレータとして形成された「Haptic Walter」等のトレッドミルを備えた定置型システムが存在する。後者は特に、動き歩行リハビリにおいて脳卒中患者及び対まひ患者又は頭蓋大脳外傷患者に対して採用される。
【０００４】
上記装置では、相当な作業努力と限られた可動性、つまり設備の固定設置、という問題がある。
【０００５】
欧州特許出願公開２  １６３  ２２６  Ａ１はスキーの時に着用する外骨格に関する。外骨格はスキー靴、下腿、太もも、及び腰に固着する。各天然関節の高さで関節装置が設けられている。腰の周辺には二重関節が設けられている。太ももと下腿の間の関節装置は切替可能なカップリングを介して接続されている。センサーはスキー板の動き及び／又はスキー板の一部に与えられる圧力を検出し、その信号をカップリングに送信する。潜在的過負荷の場合、カップリングは閉められ、さまざまな力が天然関節を避けるように外骨格へ迂回する。このような外骨格では、自然な歩行動作が不可能である。
【０００６】
ドイツ実用新案２０  ２０１３  ００９  ６９８  Ｕ１には側方連結位置を有する外骨格又は矯正器具のための平行動作についての研究が記載され、ヒトの肢体の理想関節が矯正器具又は外骨格の関節軸に対して同軸上に配置されないことを記載する。
【発明の概要】
【０００７】
本発明の課題は、高い可動性を保持すると共に、正しい動きパターン、特に歩き方を達成することを可能にする矯正器具を提供することである。
【０００８】
本発明によると、当該課題は主請求項に記載の特徴を有する脚矯正器具及び副請求項に記載の特徴を有する矯正器具によって解決される。有利な実施形態及び本発明の発展例は従属請求項、明細書及び図面に開示されている。
【０００９】
脚矯正器具を矯正器具利用者の胴体に取り付けるための取り付け装置及び少なくとも１つの関節装置を有し、矯正器具利用者の所定の肢体に固着可能な第一矯正器具部分が当該関節装置によって取り付け装置に対して回転可能に配置されている脚矯正器具において、当該関節装置は少なくとも３つの関節を有し、当該３つの関節は夫々少なくとも１つの回転軸を有し、当該回転軸は一つの共通点において交差し、共通点で少なくとも３つの独立自由度を形成する。３つの回転軸と１つの共通点を備えた関節装置の構成により、球関節に似たような、天然関節に対応する矯正器具の動作を生むことが出来る。したがって、矯正器具が必要な支援指導機能を実行すると共に、矯正器具利用者が生理的に正確な動作を達成するように体内の球関節を体外の関節で再現することができる。１つの共通点において交差する３つの関節軸を有する関節装置の構成により、外在の関節の場合には、当該関節の直接かつ機械的な実現が不可能な位置（すなわち体内の位置）に球関節が生成され、自然な動きが制限されてしまう。以下、矯正器具に関する記載は脚矯正器具、肩―腕―矯正器具、又は概して矯正器具に関連するもので、特性に関する記載は各実施形態を別々に説明するものである。１つの共通点において交差する３つの回転軸では、３つの回転自由度が、相互に独立に、関節の３つの回転軸の共通点において形成され、それゆえ、矯正器具は球関節ベアリングのような動きができる。
【００１０】
矯正器具を回転可能かつ積極的に支持可能に構成するように、関節装置には、少なくとも１つの面内に少なくとも１つの駆動部又は力貯蔵部を属させる。その結果、歩行時（例えば矢状面内の屈折や伸展時、つまり膝、腕、又はそれ以外の肢体の一部の上げ下げ時）に、矯正器具利用者を支援することが有利に可能である。原則として、幾つか又はすべての関節の回転軸の周辺に有効な複数の駆動部を備えることも可能である。移動支援を実行するために、バッテリーやアキュムレータ等の外部電源付き電動駆動機だけではなく、ばね等の力貯蔵部も属させ得る。関節装置の少なくとも１つの関節の回転軸の自由度は、有利に他の関節の自由度に影響を与えないため、単なる屈折や伸展、内転や外転、又は内旋や外旋等の際に動きのフィードバックを発生しない。本発明の一つの実施形態においては全ての自由度が相互に分離して形成され、本発明の変形例においては一つの関節のみが他の関節から分離し他の関節の自由度が相互に影響を与え得る。例えば、一つの軸が駆動されていると、駆動部は関節装置又は矯正器具の他の軸にトルクを印加しない。駆動されていない軸は相互に影響を与え得るが、それら軸周辺のトルクは駆動されている軸に影響を与えない。
【００１１】
取り付け装置は、特に脚矯正器具として設計された場合、有利に矯正器具を骨盤、腹部、又はウェストに取り付けるように形成され、第一矯正器具部分は太もも装具又は上腕装具として形成される。骨盤、腹部、又はウェストに取り付けられる取り付け装置を備えた矯正器具の配置では、取り付け装置を更に枠又は台に位置して胴体も支え運ぶことが可能であるため、移動時に矯正器具の重荷を軽減することができる。矯正器具利用者が歩行又は動作の間に体の全体の重さを負う必要はなく、むしろ取り付け装置を使用して重量の一部を軽減することが出来る。
【００１２】
関節装置の関節の回転軸は、好ましくは矯正器具利用者の球関節の回転中心で交差し、それはいわゆる矯正器具が脚矯正器具として形成された場合は腰関節で交差、矯正器具が肩-腕-矯正器具として形成された場合は肩関節で交差する。ここにおいて、矯正器具を矯正器具利用者に取り付ける際のバランスのオプション、発生する遊び、及び人体の可変性の理由から、各回転軸は腰関節又は肩関節の関節ヘッドに対応する大きさの仮想的な球体を通過すれば十分である。
【００１３】
第一矯正器具部分は関節状に接続している複数の区域を含み得、各区域は他の区域と関節を介して接続している。一つの区域は取り付け装置に接続し、それと別の区域は他の矯正器具部分と関節状に接続し得る。
【００１４】
矯正器具利用者の太もも又は上腕に取り付けられる第一矯正器具部分の関節状の接続によって、矯正器具を介して脚又は腕全体、つまり下腿や足若しくは前腕や手を支援することが出来る。その他の複数又は単数の矯正器具部分は係る肢体に取り付け可能に構成されているが、矯正器具部分によって各肢体の自然な動きに障害をもたらさないように、関節の回転軸は脚矯正器具を取り付けた状態で他の矯正器具部分の間、あるいは矯正器具部分とそれに接続される矯正器具部分の間で係る肢体の関節軸、すなわち天然関節の関節軸と整列する。
【００１５】
関節装置の関節の各回転軸はお互い同一線上に伸びないような（望ましくは夫々１つの）自由度を有し得、それゆえに自由度が相補されて球関節に対応する肢体の動きそして矯正器具の動きを実現することができる。
【００１６】
関節の回転中心内に垂直な軸を生成するために、有利には関節装置の回転軸のひとつの自由度を矢状面に配向し、関節装置の関節の回転軸の他の２つの自由度を前額面に配向させる。
【００１７】
動き障害が余儀なくされているかぎり、または天然関節の動きの全域を利用すべきでないかぎり、少なくとも１つの関節の回転範囲は調整可能に構成される。その構成によって、各最大動き半径への逐次適応を実現し、医学的に重要な動き障害や治療進展を考慮することが出来る。
【００１８】
本発明の発展例では、３つのうち少なくとも２つの回転軸が相互に非直交に配向している。それによって、体外の関節を肢体や胴体の横側に配置し、矯正器具を支えることが出来る。相互に非直交に配向する軸では、１つの関節によって複合した動きを他の関節を動かさずに実行することが出来る。従って、正確に１つの面内にある正確に１つの軸周りの単独動作をすることはほとんどないため、軸の方向を矯正器具利用者の動きに適応させることが出来る。望ましくは、動力伝達装置による関節の結合がない。
【００１９】
矯正器具を矯正器具利用者の胴体に取り付けるための取り付け装置及び少なくとも１つの関節装置を有し、矯正器具利用者の所定の肢体に固着可能な第一矯正器具部分が当該関節装置によって取り付け装置に対して回転可能に配置され、当該関節装置は少なくとも３つの関節を有し、当該３つの関節は夫々１つの回転軸を有し、当該回転軸は一つの共通点において交差する本発明の矯正器具では、関節装置の少なくとも１つの関節の回転軸の自由度が他の関節の回転軸の自由度に影響を及ぼさない。それゆえに、不要な動きを発生せず、又は筋肉による自然運動を起こす際に不要な動きを生まずに、少なくとも１つの軸周りの駆動を発揮することが出来る。上記脚矯正器具又は肩-腕-矯正器具に関する説明は本発明の矯正器具と同様である。
【００２０】
上記関節の回転軸は好ましくは一つの共通点で交差し、該共通点で少なくとも３つの独立自由度を構成する。以下に、添付の図面を参照しながら本発明の実施例を説明する。
【図面の簡単な説明】
【００２１】
【図１】関節軸を含む人体の略図；
【図２】取り付けられた矯正器具の略図；
【図３】図１の変形例；
【図４】図１で示される位置で取り付けられた矯正器具の図；
【図５】取り付け装置の一部を有する単一関節装置の図；
【図６】本発明の実施形態の部分図；
【図７】矯正器具を取り付けている矯正器具利用者の上面図；
【図８】初期状態にある矯正器具の側面図；
【図９】上げた右脚の矯正器具の側面図；及び
【図１０】初期状態にある矯正器具の正面図。
【発明を実施するための形態】
【００２２】
図１は胴体２及び２つの下肢体３を有する矯正器具利用者１を示す略図である。矯正器具利用者１の左肢体３は外転し、すなわち前額面内で外側へ回転し、当該回転は図面に詳しく示されない腰関節を通過する腰軸４の周りのものである。下肢体の膝域内に描かれている膝軸６は下腿の屈折や伸展を可能にするものである。足首軸７は足底屈や背屈を可能にする。脚軸８の軸周りには、伸展した脚の状態で足のつま先が外側又は内側へ回せられるように下肢体３が内旋又は外旋する。
【００２３】
図２の部分図は、図１の矯正器具利用者１の、矯正器具１０が取り付けられている状態の姿勢を示し、かつ矯正器具１０を概略的に示している。矯正器具１０は概略的に示している取り付け装置１１を有し、当該取り付け装置１１は矯正器具利用者１の胴体２に取り付けられるように形成されている。取り付け装置１１は、カラー、殻、又は多数片のシャフトとして構成され得、矯正器具利用者１の胴体２、例えばウェスト、腰、又は骨盤の範囲に取り付け可能である。取り付け装置１１は、ベルト、締め具、クランプ、又は調整可能な取り付け素子によって取り付け可能である。取り付け装置１１は骨盤の周囲にも延び、第一矯正器具部分３０が肢体３毎に当該取り付け装置１１に関節で取り付けられている。第一矯正器具部分３０は、関節２２、２３を介して相互に接続されている３つの区域３１、３２、３３を有する。取り付け装置１１から最寄りの区域である区域３３、いわゆる「取り付け区域」も関節２１を介して取り付け装置１１に配置されているため、第一矯正器具部分３０が３つの関節２３、２２、２１すべてを介して取り付け装置１１に回転可能に配置される。第一矯正器具部分３０は太ももに固定され、有利には概略的に示しているのみの一般のカラー又はベルト６０を介して矯正器具利用者１の太ももの周囲に固定される。太もも装具３１より遠位に下腿装具４０が接続され、当該下腿装具４０は矯正器具膝関節３４を介して太もも装具３１と回転可能に連結されている。下腿装具の遠位端４０には、矯正器具足首関節４５が接続され、当該矯正器具足首関節４５は下腿装具４０を足装具５０と関節で連結させる。足装具５０と共に下腿装具４０は、例えばベルト６０、カラー、マジックテープ（登録商標）等の取り付け手段によって下肢体３の各部に取り付けられている。矯正器具膝関節３４又は矯正器具足首関節４５の関節軸３６、４７は、下肢体３の自然な動きを可能にするように天然膝関節又は足首関節の関節軸６、７と同一線上に構成されている。また矯正器具足首関節４５には、足底屈又は背屈のみが備わっている。
【００２４】
３つの関節２１、２２、２３を有する関節装置２０の構成では、各関節２１、２２、２３の関節軸２４、２５、２８は１つの共通点１００で交差し、当該関節軸２４、２５、２８の交差点は天然腰関節の回転中心に対応する。軸２４、２５、２８が全て腰関節の球頭に対応する球形の範囲を通過すれば軸２４、２５、２８が正確に１つの幾何学的な点で交わらなくても良いだろう。
【００２５】
本実施例では、一方の矯正器具の関節２１、２２、２３、３４、４５の関節軸２４、２５、２８、３６、４７は夫々まさに１つの回転自由度を備えている。第一矯正器具部分３０の関節装置２０の関節軸２４、２５、２８は、まさに天然腰関節の回転中心に位置する１つの点で交差し、第一関節２１の回転軸２４は外転又は内転を可能にするように前額面に対して垂直に伸びている。第二関節２２の回転軸２５は主に太ももの伸展又は屈折のための腰回転中心であって、当該腰回転中心は膝関節の上げ下げに必要である。第三関節２３は、天然腰関節より下に配置され、回転軸２８を形成し、当該回転軸２８は実質的に脚軸８と同一線上に延び、それゆえに足又は下肢体全体が内旋又は外旋出来る。
【００２６】
関節装置２０の各転性回転軸２４、２５、２８の自由度は、お互いに影響を及ぼさず、下肢体３の広い回転範囲にわたって腰関節の自然な動きを可能に、特に各下肢体３の外転や内転及び内旋や外旋を可能にするように配向されている。
【００２７】
図３は内側へ回転した右肢体３の、矯正器具を取り付けていない矯正器具利用者１を示す。各軸の方向は図面通り、足首関節軸７や膝関節軸６はお互いにほぼ平行で、脚軸８は足の内旋や外旋を可能にし、腰関節内には更なる二つの腰軸が交差し、すなわち矢状面内にあって下肢体３の外転や内転を可能にする腰軸４、及び前額面内にあって下肢体３の伸展屈折を可能にする腰軸５が交差する。
【００２８】
図４は、矯正器具１０を取り付けた状態にある図３による姿勢の詳細を示す図である。右肢体３の内旋は、主に右の一つ目関節２１の回転軸２４周りの傾転と共に、第三関節２３の回転軸２８周りの回転によって実現される。関節２１、２３両方における回転の動きの重複によって、取り付けられた足部５０を介して内旋及びそれに応じた外旋を実現することが出来る。従って、矯正器具を使用することによって、非生理的な歩行パターンをもたらす分回し運動をせずに簡単に曲線歩行が出来る。また、図４によると、第三関節２３の回転軸２８は、第一関節や第二関節の回転軸２４、２５に対して直交に配向するものではなく、他の回転軸２３、２４に対して傾斜する。その第三関節２３の傾斜した回転軸２８によって、下肢体を二つの面において動かすことが出来、すなわち脚回転及び外転又は内転させることができる。脚の内旋又は外旋のみが望まれた場合、それと共に起こる外転又は内転は、矯正器具内の肢体が外転又は内転を実行せず（若しくはその様な動きを実行するように強制されずに）、内旋又は外旋の面のみにおいて可動の回転関節２１内に補償される。従って、本矯正器具は脚の動きを正確に案内し、脚の理想運動軸に対して同一でない回転軸２４、２５、２８の方向は矯正器具内に補償され、脚回転の際に第二回転関節２２は関与せずその他の回転関節２１、２３から分離している。
【００２９】
第三関節２３は天然腰関節の下方に配置され、かつ、太ももの裏面及び後方向に太ももと間隙を介して位置されるように腰関節に対して後方向や遠位方向に位置付けられている。第三関節２３の回転軸２８の脚軸８に対して足の内旋又は外旋を可能にする同一線上配置は不可能である。なぜなら、第三回転関節２３を足の下方に配置しなければならない。さもないと、回転軸２８の平行配置は回転軸と間隙を介してなり、それゆえに回転軸２４、２５、２８が共通点１００で交差しないことになってしまう。
【００３０】
図５は三つの関節区域３１、３２、３３を備えた関節装置２０の詳細図であり、それら関節区域は夫々関節２２、２３を介して接続されている。取り付け素子１１は部分的に表示され、第一関節２１の間の接続部でもある。第一関節２１の回転軸２４は下肢体の外転や内転を可能にする。
【００３１】
図５のように、関節２１、２２、２３の各回転軸２４、２５、２８は矯正器具利用者内の共通点１００で交差し、いわゆる仮想関節は天然腰関節の回転中心を投影している。その構成によって、完全かつ自然な動きを腰内で実行することが出来る。関節装置２０の全ての関節２１、２２、２３は夫々１つのみの自由度、すなわち回転自由度を有し、第一矯正器具部分３０を取り付け装置１１に接続する第一関節２１の回転軸２４が矢状面内に位置するのに対し、他の回転軸２５、２８は実質的に前額面内に位置し、関節装置２０における関節２１、２２、２３の回転軸２４、２５、２８の各自由度はお互いに影響を及ぼさず、つまりお互いから分離されている。
【００３２】
図５は左脚用矯正器具の一部の構成を示す。第一回転関節２１は回転軸２４が天然腰関節と実質的に同じ高さで位置するように位置するのに対し、主に屈折や伸展に関与する第二関節２２は天然腰関節の高さよりやや下方、つまり第一回転軸２４を通過する水平面の下方に配置される。回転関節２２は天然腰関節と同じ面、又は天然腰関節より上に位置し得る。第二回転関節２２を通過する第二回転軸２５は共通点１００において第一回転軸２４と交差する。従って、第二回転軸２５は共通点１００に向かって斜め上方に延びている。
【００３３】
第三関節２３の回転軸２８は好ましくは第一回転軸２４を通過する矢状面内に位置するが、軸２４、２８間の角度はそのような矢状面の外に向かう場合にも鋭角であるため、第三関節２３を矯正器具利用者の腰関節より下方かつ後方、並びに矯正器具利用者の骨盤より下方に位置させることが出来る。
【００３４】
第二回転関節２２が共通点１００を通過する水平面より下方に位置するため、第二及び第三関節２２、２３の回転軸２５、２８の間にも鋭角が生じる。従って、軸２４、２５、２８は全て非直交に互いに重なっている。
【００３５】
生理的制約又は必要な治療的制約がある際に最大回転角を制限又は調節するように、関節２１、２２、２３、３４、４５全てに回転範囲限界停止部を調整可能に形成し得る。
【００３６】
また、動きの際、例えば太もも及び/又は下腿の伸展又は屈折をもたらす際に、矯正器具利用者を支援するように少なくとも１つの関節装置にモーター等の駆動部又は力貯蔵部を属させ得る。
【００３７】
図６は矯正器具利用者１に取り付けられている矯正器具の正面の部分図である。取り付け区域３３及び腰において屈折や伸展を実質的に可能にする回転軸２５を有し、取り付け区域３３を後続の区域３２と接続する関節２２の他、矯正器具利用者１の両面で太ももに取り付けられている太もも装具と関節装置３０を回転軸２５の軸周りに動かすことを可能にする駆動部７０が配置され、当該駆動部７０を介して患者の腰関節の屈折又は伸展を軽減する。
【００３８】
図７は矯正器具利用者１に取り付けられている矯正器具１０の上面図である。カラー式の取り付け手段は腹部ベルトを介して矯正器具利用者１に取り付けられている。図７のように、矯正器具利用者１の横側に配置された関節２２の回転軸２５は初期状態で実質的に前額面内に伸び、天然腰関節を通過することによって、関節区域３３、３２と連結された各駆動部７０は右下肢体及び左下肢体の屈折を支援する又はもたらすことが出来る。
【００３９】
また、上面図のように、取り付け区域３２を取り付け装置１１に接続する関節２１は利用者の背後に配置され、かつ、下肢体の外転又は内転を実現するように回転軸２４は実質的に矢状面で水平前方を向いている。したがって、接続区域３３の各外側区域を上げ下げする。
【００４０】
また、図７の上面図のように、第一関節２１や第二関節２２より遠位に配置する第三関節２３は矯正器具利用者１の背後に位置され、斜め上方に向かう回転軸２８を形成し、当該回転軸２８も同様に実質的に各肢体の矢状面内にあって、他の関節２１、２２の他の回転軸２４、２５と天然腰関節の周辺で交差する。
【００４１】
図８の側面図は初期状態の矯正器具１０を示している。矯正器具１０が取り付けている取り付け装置１１はベルト状のマジックテープ（登録商標）を介して胴体に取り付け可能なカラーとして構成されている。また、第一矯正器具部分３０の太もも装具３１は太ももを包囲するカラーに配置されているベルト６０を介して太ももに取り付け可能である。下腿を下腿装具４０に取り付けるように矯正器具膝関節３４の下方には下腿カラー６０が配置され、矯正器具足首関節４５の周辺には足首カラー６０が配置されている。矯正器具足首関節４５を介して足部５０は下腿装具４０と回転可能に接続されている。足部５０の回転は矯正器具足首関節４５周りの背屈又は足底屈の他、更に実質的に水平かつ矢状面に配向する回転軸周りにも考えられる。
【００４２】
図８のように、矯正器具には複数の駆動部７０が属させられ、当該駆動部７０は夫々各矯正器具部分の屈折又は伸展を可能にする。太ももの屈折を関節２２の回転軸２５周りで可能にするように駆動部７０のうち１つは取り付け区域３３と中間区域３２の間に配置されている。加えて、太もも装具３１には、太もも装具３１に対して下腿装具４０が屈折伸展するための、更なる駆動部７０が矯正器具膝関節３４の周りに位置されている。足首関節軸周りに屈折するための第三駆動部７０が下腿装具４０に配置され、それゆえに、歩くための主たる動きを各駆動部７０によって生み出す又は支援することが出来る。
【００４３】
図８の側面図のように、第一関節２１、つまり脚の外転内転を可能にする第一回転軸２４は共通点１００又は仮想の腰関節１００と同じ高さに位置している。回転軸２５上の伸展屈折に主に関与する第二回転関節２２は共通点１００の下方、つまり第一回転軸２４に対して遠位にずらされて位置するが、関節軸２５は共通点１００と同じ高さ又は上にも位置し得る。また、第三関節２３は第二回転関節２２又は回転軸２５に対して遠位にずらされて位置し、つまり骨盤の下方、およそ共通点１００と矯正器具膝関節３４の真ん中に位置する。
【００４４】
図９は回転軸２５の周りに屈曲した右下肢体を備える矯正器具１０の構成を示している。回転は仮想腰関節１００の周り、つまり関節装置２０の三つの軸が交差する点周りに発生する。それと同時に、矯正器具膝関節３４を屈曲し、それゆえにほぼ自然な動きを可能にし、下腿装具４０は実質的に垂直に配向したままである。
【００４５】
図１０は矯正器具の構成を正面からみた脚矯正器具の姿を示している。取り付け装置１１の横には取り付け装置１１と取り付け区域３３の間において外転内転を実行するための第一関節２１が中間装具の両側に位置する。図１０は第二関節区域３２を取り付け区域３３に対して第二関節２２の軸周りに回転させる駆動部７０と、第一関節２１の各回転軸と脚矯正器具の内旋外旋に主に関与する第三関節２３の整列を示している。
【００４６】
図１０は矯正器具を各下肢体に取り付けるベルトを備えたカラー６０の他、矯正器具膝関節３４、矯正器具足首関節４５及び足部５０を外側又は内側へ回転させる回転軸５５を示している。
以下に、出願当初の特許請求の範囲に記載の事項を、そのまま、付記しておく。
［１］脚矯正器具（１０）を矯正器具利用者（１）の胴体（２）に取り付けるための取り付け装置（１１）及び少なくとも１つの関節装置（２０）を有し、前記矯正器具利用者（１）の肢体（３）に固着可能な第一矯正器具部分（３０）が前記少なくとも１つの関節装置（２０）によって前記取り付け装置（１１）に対して回転可能に配置された脚矯正器具（１０）であって、前記少なくとも１つの関節装置（２０）は少なくとも３つの関節（２１、２２、２３）を備え、前記関節は夫々少なくとも１つの回転軸（２４、２５、２８）を有し、前記回転軸は一つの共通点（１００）で交差することを特徴とする脚矯正器具（１０）。
［２］前記少なくとも１つの関節装置（２０）に少なくとも１つの駆動部又は力貯蔵部を属させることを特徴とする［１］に記載の脚矯正器具。
［３］前記少なくとも１つの関節装置（２０）において少なくとも１つの関節（２２）の回転軸（２５）の自由度が他の関節（２１、２３）の回転軸（２４、２８）の自由度に影響を及ぼさないことを特徴とする［１］又は［２］に記載の脚矯正器具。
［４］前記回転軸（２４、２５、２８）が前記矯正器具利用者（１）の腰関節の回転中心で交差することを特徴とする［１］〜［３］のいずれか一項に記載の脚矯正器具。
［５］脚矯正器具（１０）を取り付けるための取り付け装置（１１）が骨盤、腹部、又はウェストに構成され、かつ前記第一矯正器具部分（３０）が太もも装具として構成されることを特徴とする［１］〜［４］のいずれか一項に記載の脚矯正器具。
［６］前記第一矯正器具部分（３０）が相互に関節で接続する複数の区域（３１、３２、３３）を有することを特徴とする［１］〜［５］のいずれか一項に記載の脚矯正器具。
［７］前記第一矯正器具部分（３０）に少なくとも更なる１つの矯正器具部分（４０、５０）を関節で取り付けることを特徴とする［１］〜［６］のいずれか一項に記載の脚矯正器具。
［８］前記少なくとも更なる１つの矯正器具部分（４０、５０）が前記肢体（３）に取り付け可能に構成されることを特徴とする［７］に記載の脚矯正器具。
［９］前記更なる矯正器具部分（４０、５０）の間の関節（３４、４５）における回転軸（３６、４７）が、脚矯正器具（１０）を取り付けている状態で肢体（３）の関節軸（６、７）と整列することを特徴とする［７］又は［８］に記載の脚矯正器具。
［１０］前記関節装置（２０）における関節（２１、２２、２３）の回転軸（２４、２５、２８）が夫々正確に一つの自由度を有することを特徴とする［１］〜［９］のいずれか一項に記載の脚矯正器具。
［１１］前記関節（２１、２２、２３、３６、４５）の回転範囲が調整可能であることを特徴とする［１］〜［１０］のいずれか一項に記載の脚矯正器具。
［１２］前記回転軸（２５）が腰の伸展屈折を可能にし、前記関節装置（２０）に前記回転軸（２５）の周りで有効な駆動部を属させることを特徴とする［１］〜［１１］のいずれか一項に記載の脚矯正器具。
［１３］前記回転軸（２４、２５、２８）のうち少なくとも二つが相互に非直交に配向することを特徴とする［１］〜［１２］のいずれか一項に記載の脚矯正器具。
［１４］駆動される軸（２５）はトルクを他の軸（２４、２８）に印加しないことを特徴とする［１］〜［１３］のいずれか一項に記載の脚矯正器具。
［１５］駆動されない軸（２５）又は複数の駆動されない軸（２４、２８）の周囲トルクが他の軸（２４、２８）又は他の軸（２５）に影響を及ぼさないことを特徴とする［１］〜［１４］のいずれか一項に記載の脚矯正器具。
［１６］矯正器具（１０）を矯正器具利用者（１）の胴体（２）に取り付けるための取り付け装置（１１）及び少なくとも１つの関節装置（２０）を有し、前記矯正器具利用者（１）の肢体（３）に固着可能な第一矯正器具部分（３０）が関節装置（２０）によって前記取り付け装置（１１）に対して回転可能に配置され、前記少なくとも１つの関節装置（２０）は少なくとも３つの関節（２１、２２、２３）を備え、当該関節は夫々１つの回転軸（２４、２５、２８）を有し、当該回転軸は一つの共通点（１００）で交差する矯正器具（１０）であって、前記関節装置（２０）において少なくとも１つの関節（２２）の回転軸（２５）の自由度が他の関節（２１、２３）の回転軸（２４、２８）の自由度に影響を及ぼさないことを特徴とする矯正器具（１０）。
［１７］前記回転軸（２４、２５、２８）が共通点（１００）で交差し、交差点（１００）で少なくとも三つの独立自由度を形成することを特徴とする［１６］に記載の矯正器具。
［１８］前記回転軸（２４、２５、２８）が前記矯正器具利用者（１）の天然関節の回転中心で交差することを特徴とする［１６］又は［１７］に記載の矯正器具。
［１９］前記関節装置（２０）に少なくとも１つの駆動部又は力貯蔵部を属させることを特徴とする［１６］〜［１８］のいずれか一項に記載の矯正器具。
［２０］前記第一矯正器具部分（３０）が相互に関節で接続する複数の区域（３１、３２、３３）を有することを特徴とする［１６］〜［１９］のいずれか一項に記載の矯正器具。
［２１］前記第一矯正器具部分（３０）に少なくとも更なる１つの矯正器具部分（４０、５０）を関節で取り付けることを特徴とする［１６］〜［２０］のいずれか一項に記載の矯正器具。
［２２］前記少なくとも更なる１つの矯正器具部分（４０、５０）が前記肢体（３）に取り付け可能に構成されることを特徴とする［２１］に記載の矯正器具。
［２３］他の矯正器具部分（４０、５０）の間の関節（３４、４５）における回転軸（３６、４７）が、矯正器具（１０）を取り付けている状態で前記肢体（３）の関節軸（６、７）と整列することを特徴とする［２１］又は［２２］に記載の矯正器具。
［２４］前記関節装置（２０）における前記関節（２１、２２、２３）の前記回転軸（２４、２５、２８）が夫々一つの自由度を有することを特徴とする［１６］〜［２３］のいずれか一項に記載の矯正器具。
［２５］前記関節（２１、２２、２３、３６、４５）の回転範囲が調整可能であることを特徴とする［１６］〜［２４］のいずれか一項に記載の矯正器具。
［２６］前記回転軸（２４、２５、２８）のうち少なくとも二つが相互に非直交に配向することを特徴とする［１６］〜［２５］のいずれか一項に記載の矯正器具。
［２７］駆動される軸（２５）はトルクを他の軸（２４、２８）に印加しないことを特徴とする［１６］〜［２６］のいずれか一項に記載の矯正器具。
［２８］駆動されない軸（２４、２５、２８）の周囲トルクが他の軸（２４、２５、２８）に影響を及ぼさないことを特徴とする［１６］〜［２７］のいずれか一項に記載の脚矯正器具。
【図１】
0006647225.tif 000002
【図２】
0006647225.tif 000003
【図３】
0006647225.tif 000004
【図４】
0006647225.tif 000005
【図５】
0006647225.tif 000006
【図６】
0006647225.tif 000007
【図７】
0006647225.tif 000008
【図８】
0006647225.tif 000009
【図９】
0006647225.tif 000010
【図１０】
0006647225.tif 000011